(57)【要約】【課題】用紙を支持する支持部材の昇降不適正によって生じる給紙不具合を迅速かつ的確に報知する。【解決手段】給紙トレイ３６が引き出された場合に、ＵＩ１４に、ロック機構部６６で保持されるように、ボトムプレート４４を床面と平行状態まで押すことを促す注意喚起情報を報知する。ＵＩ１４の表示画面を２分割し、一方の領域には、画像処理装置１０を象った画像とボトムプレート４４を押し下げることを促す３コマ画像を循環表示させる。他方の領域には、文字によるメッセージを表示する。文字によるメッセージは、例えば、「ボトムプレートの中央を押し下げてから、トレイを閉じてください」が考えられる。【選択図】図５
2015166277.tif 000002
【特許請求の範囲】
【請求項１】
用紙を本体へ送り出すためのローラと、用紙を支持すると共に前記ローラとの間隔を変更可能に移動する支持部材と、を備えたトレイと、
前記トレイの開閉動作に応じて、前記支持部材の移動状態を確認させる注意喚起情報を報知する報知手段と、
を有する給紙装置。
【請求項２】
用紙を本体へ送り出すためのローラと、用紙を支持すると共に前記ローラとの間隔を変更可能に移動する支持部材と、前記支持部材を少なくとも前記ローラに接近する方向に付勢する付勢手段と、を備えたトレイと、
前記トレイを開けたときに、前記支持部材を付勢手段の付勢力に抗して前記ローラから離れる方向の操作を促す注意喚起情報を報知する報知手段と、
を有する給紙装置。
【請求項３】
前記支持部材を、前記ローラから離れる方向の終端で保持すると共に、前記トレイを閉める動作に連動して前記支持部材の保持を解除する保持機構部をさらに有する請求項２記載の給紙装置。
【請求項４】
前記報知手段が、
給紙に関する異常が発生した場合に、障害物が前記支持部材のローラ接近方向の動作を妨げている可能性を示唆する注意喚起情報を報知する請求項２又は請求項３記載の給紙装置。
【請求項５】
用紙を本体へ送り出すためのローラと、用紙を支持すると共に前記ローラとの隙間を変更可能に移動する支持部材と、を備えたトレイと、
前記トレイが閉められた状態で前記支持部材と駆動源とを連結させ、当該駆動源の駆動力で前記支持部材を少なくとも前記ローラに接近させる方向に移動させる移動手段と、
給紙に関する異常が発生した場合に、障害物が前記支持部材のローラ接近方向の動作を妨げている可能性を示唆する注意喚起情報を報知する報知手段と、
を有する給紙装置。
【請求項６】
前記報知手段の注意喚起情報の内容を、異常発生後の前記移動手段の再実行毎に段階的に異ならせる請求項５記載の給紙装置。
【請求項７】
請求項１〜請求項６の何れか１項記載の給紙装置と、
少なくとも記録媒体に画像を形成する画像形成部と、
を有する画像処理装置。
【発明の詳細な説明】
【技術分野】
【０００１】
本発明は、給紙装置、画像処理装置に関する。
【背景技術】
【０００２】
特許文献１には、積載されたシートを持ち上げるボトムプレートを備え、装置本体又は給紙カセットに装着可能なカセットトレイを有するシート供給装置が記載されている。
【先行技術文献】
【特許文献】
【０００３】
【特許文献１】特開２００１−００２２５１号公報
【発明の概要】
【発明が解決しようとする課題】
【０００４】
本発明は、本構成を有しない場合に比べて、用紙を支持する支持部材の昇降不適正によって生じる給紙不具合を迅速かつ的確に報知することができる給紙装置、画像処理装置を得ることが目的である。
【課題を解決するための手段】
【０００５】
請求項１に記載の発明は、用紙を本体へ送り出すためのローラと、用紙を支持すると共に前記ローラとの間隔を変更可能に移動する支持部材と、を備えたトレイと、前記トレイの開閉動作に応じて、前記支持部材の移動状態を確認させる注意喚起情報を報知する報知手段と、を有している。
【０００６】
請求項２に記載の発明は、用紙を本体へ送り出すためのローラと、用紙を支持すると共に前記ローラとの間隔を変更可能に移動する支持部材と、前記支持部材を少なくとも前記ローラに接近する方向に付勢する付勢手段と、を備えたトレイと、前記トレイを開けたときに、前記支持部材を付勢手段の付勢力に抗して前記ローラから離れる方向の操作を促す注意喚起情報を報知する報知手段と、を有している。
【０００７】
請求項３に記載の発明は、前記請求項２に記載の発明において、前記支持部材を、前記ローラから離れる方向の終端で保持すると共に、前記トレイを閉める動作に連動して前記支持部材の保持を解除する保持機構部をさらに有する。
【０００８】
請求項４に記載の発明は、前記請求項２又は請求項３に記載の発明において、前記報知手段が、給紙に関する異常が発生した場合に、障害物が前記支持部材のローラ接近方向の動作を妨げている可能性を示唆する注意喚起情報を報知する。
【０００９】
請求項５に記載の発明は、用紙を本体へ送り出すためのローラと、用紙を支持すると共に前記ローラとの隙間を変更可能に移動する支持部材と、を備えたトレイと、前記トレイが閉められた状態で前記支持部材と駆動源とを連結させ、当該駆動源の駆動力で前記支持部材を少なくとも前記ローラに接近させる方向に移動させる移動手段と、給紙に関する異常が発生した場合に、障害物が前記支持部材のローラ接近方向の動作を妨げている可能性を示唆する注意喚起情報を報知する報知手段と、を有している。
【００１０】
請求項６に記載の発明は、前記請求項５に記載の発明において、前記報知手段の注意喚起情報の内容を、異常発生後の前記移動手段の再実行毎に段階的に異ならせる。
【００１１】
請求項７に記載の発明は、請求項１〜請求項６の何れか１項記載の給紙装置と、
少なくとも記録媒体に画像を形成する画像形成部と、を有する画像処理装置である。
【発明の効果】
【００１２】
請求項１に記載の発明によれば、本構成を有しない場合に比べて、用紙を支持する支持部材の昇降不適正によって生じる給紙不具合を迅速かつ的確に報知することができる。
【００１３】
請求項２に記載の発明によれば、トレイ開放時に、支持部材押し下げを注意喚起することができる。
【００１４】
請求項３に記載の発明によれば、支持部材の押し下げを確実に行うことができる。
【００１５】
請求項４に記載の発明によれば、トレイ閉止時に、障害物の有無について注意喚起することができる。
【００１６】
請求項５に記載の発明によれば、トレイ閉止時に、障害物の有無について注意喚起することができる。
【００１７】
請求項６に記載の発明によれば、段階的に注意喚起を異ならせることができる。
【００１８】
請求項７に記載の発明によれば、本構成を有しない場合に比べて、用紙を支持する支持部材の昇降不適正によって生じる給紙不具合を迅速かつ的確に報知することができる。
【図面の簡単な説明】
【００１９】
【図１】第１の実施の形態に係る画像処理装置の概略図であり、（Ａ）は斜視図、（Ｂ）は正面図である。
【図２】第１の実施の形態に係るメインコントローラのブロック図である。
【図３】（Ａ）は第１の実施の形態に係る給紙トレイの斜視図、（Ｂ）は図３（Ａ）のＩＩＩＢ−ＩＩＩＢ線断面図である。
【図４】第１の実施の形態に係り、メインコントローラにおける、給紙トレイ開放時注意喚起制御報知を実行するための機能ブロック図である。
【図５】第１の実施の形態に係り、（Ａ）から（Ｂ）は表示面に表示されたポップアップメニュー画面が表示されたＵＩの正面図である。
【図６】第１の実施の形態に係る給紙トレイ開放時注意喚起報知制御ルーチンを示すフローチャートである。
【図７】第２の実施の形態に係る給紙トレイの正面断面図である。
【図８】第２の実施の形態に係る給紙トレイ閉止時注意喚起報知制御ルーチンを示すフローチャートである。
【発明を実施するための形態】
【００２０】
図１（Ａ）及び（Ｂ）には、本実施の形態に係る画像処理装置１０が示されている。
【００２１】
画像処理装置１０は、記録用紙に画像を形成する画像形成部１２（図１（Ｂ）参照）を備えている。
【００２２】
画像形成部１２は、感光体を備え、感光体の周囲には、感光体を一様に帯電する帯電装置と、画像データに基づいて光ビームを走査する走査露光部と、前記走査露光部によって走査露光されることで形成された静電潜像を現像する画像現像部と、現像化された感光体上の画像を記録用紙へ転写する転写部と、転写後の感光体の表面をクリーニングするクリーニング部と、が設けられている。また、記録用紙の搬送経路上には、転写後の記録用紙上の画像を定着する定着部を備えている。
【００２３】
画像形成部１２を収容する筐体１０Ａの上面は、画像形成部１２で画像記録された記録用紙が排出される記録用紙の排出トレイ１０Ｔが形成されている。
【００２４】
また、この排出トレイ１０Ｔの天井に相当する筐体１０Ｂには、ＵＩタッチパネル１４（以下、「ＵＩ１４」という）が配置されている。
【００２５】
図１（Ｂ）に示される如く、画像処理装置１０は、メインコントローラ１８を備えており、画像形成部１２の画像形成処理を制御すると共に、前記ＵＩ１４に対して操作された指示情報を受け取り、かつＵＩ１４の表示面に情報を表示する。
【００２６】
メインコントローラ１８にはインターネット等の図示しないネットワーク通信回線網が接続されている。メインコントローラ１８は、例えば、ネットワーク通信回線網を介してＰＣ（図示省略）と接続され、画像データを受信する。
【００２７】
図２に示される如く、メインコトローラ１８は、ＣＰＵ２０、ＲＡＭ２２、ＲＯＭ２４、Ｉ／Ｏ２６及びこれらを接続するデータバスやコントロールバス等のバス２８を備えている。
【００２８】
Ｉ／Ｏ２６には、Ｉ／Ｆ２９を介して画像形成制御部３０が接続されている。画像形成制御部３０は、メインコントローラ１８におけるＣＰＵ２０の指示の下、前記画像形成部１２の画像処理動作を制御する。
【００２９】
また、Ｉ／Ｏ２６には、ＵＩ１４が接続されると共に、詳細は省略するが、搬送系のモータを含む出力系デバイス３２並びに、搬送中の用紙位置検出用のセンサを含む複数の入力系デバイス３４が接続されている。
【００３０】
図１（Ａ）に示される如く、画像処理装置１０の筐体１０Ａの下部には給紙トレイ３６が設けられている。この給紙トレイ３６には、予め記録用紙３８が装填されている。ここで、画像処理装置１０における給紙機能として、給紙トレイ３６に装填された記録用紙３８の内、最上層の記録用紙３８から順に１枚１枚取り出して、画像形成部１２へ送り出す役目を有する。
【００３１】
給紙トレイ３６は、上面が開口された箱型で、ユーザーが手動で画像処理装置１０の図１（Ａ）の右前方向に引き出すことで開き、押し戻すことで閉まる、所謂スライドレール構造となっている。なお、図１（Ａ）の状態は、給紙トレイ３６を「開けた」状態である。
【００３２】
図３に示される如く、給紙トレイ３６は、引き出し方向の縦壁が、前記図１（Ａ）に示す筐体１０Ａの前面と、質感が一致する意匠が施された筐体カバー４０とされている。
【００３３】
筐体カバー４０には、矩形状に凹陥された把持部４２が形成されている。把持部４２はユーザーが給紙トレイ３６を引き出すときに把持される。すなわち、本実施の形態の給紙トレイ３６では、把持部４２を設けることで、当該把持部４２が無い場合よりも、ユーザーの引き出し、押し戻し動作（特に、引き出し動作）の作業がし易くなっている。
【００３４】
給紙トレイ３６の底面は、記録用紙３８（図３（Ｂ）参照）を支持する支持面とされており、その一部の領域に、ボトムプレート４４が配置されている。
【００３５】
ボトムプレート４４は、矩形の平板形状で、前記筐体カバー４０を正面視したときの奥行き方向の中央部に配置され、左辺側が、給紙トレイ３６の左側側面に沿うように配置されている。
【００３６】
ボトムプレート４４の図３（Ａ）の右辺には、前記筐体カバー４０及び筐体カバー４０と対峙する縦壁部４６方向に沿って、アーム部４４Ａが形成されている。ボトムプレート４４は、前記給紙トレイ３６の床面に伏した状態から、このアーム部４４Ａを中心として予め定めた角度（図３（Ｂ）の角度θ参照）だけ回転するようになっている。なお、アーム部４４Ａには、ねじりコイルばね４８（図３（Ｂ）参照）が取り付けられ、通常は、ボトムプレート４４が、図３（Ｂ）の時計回り方向（左辺が押し上げられる方向）に付勢されている。なお、付勢する手段は、ねじりコイルばね４８に限定されるものではなく、また、その取り付け位置も限定されない。少なくとも、ボトムプレート４４がアーム部４４Ａを中心に図３（Ｂ）の時計回り方向に付勢されればいよい。
【００３７】
このため、当該ボトムプレート４４を含む床面に支持された記録用紙３８の内、ボトムプレート４４上にある領域が押し上げられるようになっている（図３（Ｂ）の一点鎖線、点線参照）。
【００３８】
給紙トレイ３６における、筐体カバー４０を正面視したときの左側側面は、記録用紙３８を前記画像形成部１２へ送り出すための送出部５０とされ、前記底面から連続するように円弧状の案内面が形成されている。
【００３９】
この送出部５０には、送り出しローラ５２が配置され、円形棒状の案内軸５４の中央部に取り付けられている。
【００４０】
前記ボトムプレート４４によって押し上げられた記録用紙３８の内、最上層の記録用紙３８は、この送り出しローラ５２に突き当てられるようになっている。
【００４１】
前記送り出しローラ５２の案内軸５４は、一端部が筐体カバー４０側に取り付けられたブラケット部５６に支持され、他端部が筐体１０Ａ側に配置されたモータ駆動部５８の回転軸に着脱可能に連結されるようになっている。すなわち、給紙トレイ３６が引き出され、開いているときは、案内軸５４とモータ駆動部５８の回転軸と切り離され、給紙トレイ３６が押し戻され、閉まったときは、案内軸５４とモータ駆動部５８の回転軸とが連結されるようになっている（給紙トレイ３６の開閉と連動）。なお、モータ駆動部５８は、前述の出力系デバイス３２に属する。
【００４２】
給紙トレイ３６が閉まった状態では、記録用紙３８が前記ボトムプレート４４によって押し上げられ、かつ、記録用紙３８の最上層が送り出しローラ５２に突き当てられた状態となっており、画像形成制御部３０から命令で、モータ駆動部５８が動作すると、送り出しローラ５２が回転し、最上層の記録用紙３８が給紙トレイ３６から取り出され、画像形成部１２へ送られることになる。
【００４３】
なお、給紙トレイ３６には、記録用紙３８のサイズに合わせて周端（前記送出部５０以外の３方向の周端）を案内するガイド板６０が移動可能に取り付けられており、床面に支持された記録用紙３８のサイズに合わせて、ユーザーが位置決めを行うようになっている。
【００４４】
また、給紙トレイ３６には、用紙有無センサ６２が取り付けられ、記録用紙３８の有無を電気的信号で認識可能となっている。
【００４５】
さらに、給紙トレイ３６には、サイズ判別センサ６４（図３（Ｂ）参照）が設けられ、前記ガイド板６０の位置関係に組み合わされる凹凸の状態を検出し、装填された記録用紙３８のサイズを判別するようになっている。なお、このサイズ判別センサ６４は、給紙トレイ３６の開閉を検出するセンサとして兼用可能である。
【００４６】
前記用紙有無センサ６２、サイズ判別センサ６４は、前述の入力系デバイス３４に属する。
【００４７】
ここで、給紙トレイ３６では、前記ボトムプレート４４を、ねじりコイルばね４８の付勢力に抗して、床面に伏した状態（床面と平行な状態）で保持するロック機構部６６（図３（Ｂ）参照）が設けられている。このロック機構部６６は、給紙トレイ３６を開けたとき、ユーザーがボトムプレート４４（若しくは、記録用紙３８が存在する場合は記録用紙３８）を押し下げることでロックする構造となっている。
【００４８】
また、ロック機構部６６は、給紙トレイ３６が閉まったとき、自動的にロックが解除され、ボトムプレート４４のねじりコイルばね４８による押し上げが可能となる。
【００４９】
上記において、ユーザーが記録用紙３８を補給するとき、或いは、何らかの異常（紙詰まり等）で給紙トレイ３６を引き出す場合がある。
【００５０】
このとき、ボトムプレート４４にねじりコイルばね４８の付勢力がかかっていると、記録用紙３８が無い場合はボトムプレート４４が送り出しローラ５２に最接近した状態、或いは、記録用紙３８がある場合は、記録用紙３８が送り出しローラ５２に突き当てられた状態のままとなる。
【００５１】
（記録用紙３８が無い場合）
記録用紙３８を補充しようとしたとき、ボトムプレート４４が床面に対して角度をもって配置されているため、適正な位置に記録用紙３８を支持することができない場合がある。特に、ガイド板６０を移動した場合には、適正な位置がわかりずらくなる。
【００５２】
（記録用紙３８が有る場合）
給紙トレイ３６の開閉により、送り出しローラ５２に突き当てられた状態の記録用紙３８がずれる場合があり、閉めた後の記録用紙３８の持ち出しの際に、紙詰まりを起こす可能性がある。
【００５３】
このため、ボトムプレート４４には、ユーザーの手と矢印の画像４４Ｂとを表示している（図３（Ａ）参照）。しかし、記録用紙３８が有る場合は当然見えない。また、記録用紙３８が無い場合でも、これからの補充作業に気を取られることで、画像４４Ｂが注意喚起にならないことがある。
【００５４】
そこで、本実施の形態では、給紙トレイ３６が引き出された場合に、ＵＩ１４に、ロック機構部６６で保持されるように、ボトムプレート４４を床面と平行状態まで押すことを促す注意喚起情報を報知するようにした。
【００５５】
図４は、メインコントローラ１８における、給紙トレイ開放時注意喚起報知制御のための機能ブロック図が示されている。なお、このブロック図は、メインコントローラ１８のハード構成を限定するものではない。
【００５６】
前記給紙トレイ３６に設けられたサイズ判別センサ６４が、給紙トレイ３６の開閉状態を判別するセンサとして適用され、給紙トレイ開放判別部７０に接続されている。
【００５７】
給紙トレイ開放判別部７０は、情報取込部７２及び報知期間監視部７４に接続されている。情報取込部７２では、給紙トレイ開放判別部７０から給紙トレイ３６が開放されたことを示す信号が入力されると、画像形成制御部３０から紙詰まりの情報を取り込む。
【００５８】
情報取込部７２では、紙詰まり情報の有無を判定部７６へ送出する。判定部７６では、情報の有無、すなわち、紙詰まりが発生したか否かに基づいて、ボトムプレート４４を押し戻すことを促す、注意喚起情報の報知を実行するか否かを判定する。
【００５９】
判定部７６は、報知期間監視部７４に接続されており、判定結果を当該報知期間監視部７４に送出する。
【００６０】
ここで、報知期間監視部７４は、前記給紙トレイ開放判別部７０から給紙トレイ３６の開閉状態の情報が入力されている。報知期間監視部７４では、給紙トレイ３６が開放中、かつ紙詰まりが発生していない期間に限定して、画像情報出力部７８へ報知指示信号を送出する。
【００６１】
画像情報出力部７８は、注意喚起情報読出部８０に接続されており、報知指示信号を受けると、注意喚起情報読出部８０に対して画像情報メモリ８２から画像情報を読み出すように指示し、当該画像情報を受けて、ＵＩ１４に画像を表示する。
【００６２】
本実施の形態では、図５（Ａ）〜（Ｃ）に示される如く、ＵＩ１４の表示画面を２分割し、一方の領域には、画像処理装置１０を象った画像とボトムプレート４４を押し下げることを促す３コマ画像を循環表示させる。
【００６３】
また、他方の領域には、文字によるメッセージを表示する。文字によるメッセージは、図５では、「ＸＸＸ」で示しているが、例えば、「ボトムプレートの中央を押し下げてから、トレイを閉じてください」が考えられる。なお、上記メッセージを基準として、用紙がある場合は、一旦取り出す旨のメッセージを追加してもよい。
【００６４】
以下に本実施の形態の作用を、図６のフローチャートに従い説明する。
【００６５】
ステップ１００では、給紙トレイ３６が開けられたか否かが判断され、否定判定された場合は、注意喚起情報を報知する必要はないと判断し、このルーチンは終了する。
【００６６】
また、ステップ１００で肯定判定されると、ステップ１０２へ移行して、画像形成制御部３０から紙詰まりの有無情報を取り込み、次いでステップ１０４へ移行して、紙詰まりが発生中か否かを判断する。
【００６７】
このステップ１０４で肯定判定、すなわち紙詰まりが発生している場合は、紙詰まり解消処理を優先するべく、注意喚起情報を報知する必要はないと判断し、このルーチンは終了する。
【００６８】
また、ステップ１０４で否定判定された場合は、例えば、記録用紙３８の補充等のために給紙トレイ３６が開けられたと判断し、ステップ１０６へ移行して、注意喚起情報を報知する必要があるとして、報知実行判定を行い、ステップ１０８へ移行する。
【００６９】
ステップ１０８では、画像情報メモリ８２から注意喚起情報を読み出し、次いでステップ１１０へ移行してＵＩ１４へ当該注意喚起情報の出力を開始する。
【００７０】
ＵＩ１４では、まず、図５（Ａ）に示される如く、ＵＩ１４の表示面にポップアップメニュー画面１４Ａが表示される。
【００７１】
ポップアップメニュー画面１４Ａは、２分割されており、一方に画像処理装置１０の給紙トレイ３６が開けられた状態の絵画像が表示され、他方に文字画像（例えば、メッセージとしては、「ボトムプレートの中央部を押し下げてから、トレイを閉じてください」が表示される。
【００７２】
本実施の形態では、絵画像は３コマ画像とされ、図５（Ｂ）では、ボトムプレート４４が上昇している様子を示す画像、図５（Ｃ）では、ユーザーがボトムプレート４４を押し下げている様子を示す画像が表示され、図５（Ａ）→図５（Ｂ）→図５（Ｃ）→図５（Ａ）・・・のように循環して表示することで、コマ送り的な動作を表現し、注意を喚起する。
【００７３】
なお、この場合、メッセージを変更したり、文字を点滅させたり、文字を拡縮したりしてもよい。
【００７４】
図６に示される如く、ステップ１１０でＵＩ１４へ注意喚起情報の出力を開始した後は、ステップ１１２へ移行して、給紙トレイ３６が閉じられたか否かが判断される。
【００７５】
このステップ１１２で肯定判定されると、ステップ１１４へ移行してＵＩ１４へ出力が停止され、報知が終了する。
【００７６】
なお、この図６のルーチンでは、給紙トレイ３６が閉じられたとき、自動的に注意喚起情報の報知を終了するようにしたが、給紙トレイ３６が閉じられたからといって、ボトムプレート４４が確実に押し下げられているとは限らない。
【００７７】
そこで、ＵＩ１４に表示されるポップアップメニュー画面１４Ａの一部に「ＯＫ」ボタン画像１４Ｂを表示し、ユーザーが当該「ＯＫ」ボタン画像１４Ｂの領域にタッチすることで、表示を終了するようにしてもよい。すなわち、給紙トレイ３６が閉じられても、依然として表示が継続されているため、ユーザーの意志で注意喚起情報を終了させる分、給紙トレイ３６が閉じられて自動的に表示を終了するよりも、ボトムプレート４４を押し下げている可能性が高くなる。
【００７８】
（第１の実施の形態の変形例）
なお、第１の実施の形態では、給紙トレイ３６が開けられたとき、ＵＩ１４に注意喚起情報を報知（表示）するようにした。
【００７９】
ところで、給紙トレイ３６を閉めたとき、ボトムプレート４４のロック機構部６６が自動的にロック解除され、ねじりコイルばね４８の付勢力で図３（Ｂ）の時計回り方向に回転（ボトムプレート４４の給紙トレイ３６における送出部５０側端部の上昇）するようになっている。
【００８０】
このボトムプレート４４の上昇の際、とき、給紙トレイ３６に障害物が存在していると、当該ボトムプレート４４の上昇に伴って、障害物が画像処理装置１０の筐体１０Ａ内の天井に突き当たり、ボトムプレート４４の上昇を妨げる場合がある。
【００８１】
障害物となり得る代表的な物として、予備の記録用紙、取扱説明書が挙げられる。
【００８２】
給紙トレイ３６は、最大サイズの記録用紙を収容可能な大きさとなっており、例えば、最大サイズがＡ３サイズで、想定するサイズがＡ４サイズの場合、給紙トレイ３６の床面に１／２の領域の余裕が発生する。このため、この余裕となった領域に予備の記録用紙、取扱説明書を保管する可能性がある。この場合、高さ方向に注意を払わないと、給紙トレイ３６を閉めることはできるが、ボトムプレート４４の上昇範囲ほどの余裕がない場合に障害物となり得る。
【００８３】
そこで、第１の実施の形態の変形例では、給紙トレイ３６が開けられたときに、ボトムプレート４４を押し下げる旨の注意喚起情報を報知すると共に、給紙トレイ３６が閉じられたときに、ＵＩ１４に、給紙トレイ３６に障害物となり得る物の存在を考慮する旨の注意喚起情報を報知する。
【００８４】
これにより、給紙トレイ３６の開閉に関わる注意喚起を報知する機会が増加し、搬送不良の未然防止の度合いが高められる。
【００８５】
（第２の実施の形態）
次に、第２の実施の形態について説明する。なお、第１の実施の形態と同一構成部分については、同一の符号を付してその構成の説明を省略する。
【００８６】
第２の実施の形態では、ボトムプレート４４をモータの駆動力で昇降させる点にある。
【００８７】
図７は、モータ８４の駆動力でボトムプレート４４が昇降する給紙トレイ３６の正面図である。
【００８８】
第２の実施の形態のボトムプレート４４では、給紙トレイ３６が開けられると自動的に下降し、閉められると自動的に上昇する。
【００８９】
ここで、給紙トレイ３６が閉じられ、自動的にボトムプレート４４が上昇するとき、給紙トレイ３６に障害物８６が存在していると、当該ボトムプレート４４の上昇に伴って、障害物が画像処理装置１０の筐体１０Ａ内の天井に突き当たり、ボトムプレート４４の上昇を妨げる場合がある。
【００９０】
障害物となり得る代表的な物として、予備の記録用紙、取扱説明書が挙げられる。
【００９１】
給紙トレイ３６は、最大サイズの記録用紙を収容可能な大きさとなっており、例えば、最大サイズがＡ３サイズで、想定するサイズがＡ４サイズの場合、給紙トレイ３６の床面に１／２の領域の余裕が発生する。このため、この余裕となった領域に予備の記録用紙、取扱説明書を保管する可能性がある。この場合、高さ方向に注意を払わないと、給紙トレイ３６を閉めることはできるが、ボトムプレート４４の上昇範囲ほどの余裕がない場合に障害物となり得る。
【００９２】
第２の実施の形態では、モータ８４の駆動力によるボトムプレート４４の昇降、特に上昇において、前記障害物８６により、予め定めた位置（記録用紙３８が送り出しローラ５２に突き当たる位置）に到達しない動作不良があると、予め定めた回数（例えば、Ｎ回、Ｎは正の整数）だけ再実行（リトライ）する。
【００９３】
ここで、Ｎ回実行して動作不要が改善されない場合、給紙装置のシステムエラーとして、画像処理装置１０自体の機能を停止（電源オフ）させるようにしている。
【００９４】
動作不良が給紙トレイ３６内の障害物であり、当該障害物を取り除く、或いは高さを低くするといった程度の処理で動作不良が改善されるにも関わらず、ユーザーは原因がわからないまま、再実行が繰り返され、結果的にシステムエラー判定されることになる。
【００９５】
そこで、第２の実施の形態では、給紙トレイ３６の上昇時の動作不良が発生した場合に、ＵＩ１４に段階的に注意喚起情報を報知するようにした。
【００９６】
例えば、最初の動作不良があった場合に、ＵＩ１４に注意喚起情報として、メッセージ（例えば、「給紙トレイ内を確認してください」）を表示する。このとき、給紙トレイ３６を開けるような絵画像（例えば、図３（Ａ）に示す絵画像）を表示してもよい。
【００９７】
図８は、第２の実施の形態に係る給紙トレイ閉止時注意喚起報知制御ルーチンを示すフローチャートである。
【００９８】
ステップ１５０では、給紙トレイ３６が閉じられたか否かが判断され、肯定判定されると、ステップ１５２へ移行してモータ駆動によりボトムプレート４４を上昇させる。
【００９９】
次のステップ１５４では、ボトムプレート４４の上昇開始から予め定めた時間が経過したか否かが判断される。予め定めた時間は、ボトムプレート４４が最上端の適正位置に到達するのに十分な時間である。
【０１００】
ステップ１５４で否定判定された場合は、ステップ１５６へ移行して、ボトムプレート４４が適正位置に到達したか否かが判断される。このステップ１５６で否定判定された場合は、ステップ１５４へ戻り、ステップ１５４、１５６の何れかで肯定判定されるまで、ステップ１５４、１５６を繰り返す。
【０１０１】
ここで、ステップ１５６で肯定判定されると、ボトムプレート４４が適正位置に到達したと判断し、ステップ１５８へ移行して上昇を停止し、次いで、ステップ１６０へ移行して次処理を指示し、このルーチンは終了する。
【０１０２】
また、ステップ１５４で肯定判定された場合は、予め定めた時間内にボトムプレート４４が適正位置に到達できなかったと判断し、ステップ１６２へ移行して異常判定としてボトムプレート４４の上昇を停止し、次いで、ステップ１６４へ移行してモータ駆動によりボトムプレート４４を最下位置まで下降させ、ステップ１６６へ移行する。
【０１０３】
ステップ１６６では、給紙トレイ３６を閉じてから何回目の異常かを判断する。このステップ１６６で１回目からＮ−１回面であると判断されると、ステップ１６８へ移行して、ＵＩ１４に注意喚起情報を出力する。このときの注意喚起情報は、段階１であり、比較的に軽度な異常としてメッセージ（例えば、「給紙トレイ内を確認してください」）を表示して、ステップ１７０へ移行する。
【０１０４】
また、ステップ１６６の判定の結果、Ｎ回、すなわち予められた再実行（リトライ）回数に達した場合は、ステップ１７４へ移行して、ＵＩ１４に注意喚起情報を出力する。このときの注意喚起情報は、段階２であり、比較的に重度な異常としてメッセージ（例えば、「システムエラーです。ＳＥを呼んでください」）を表示し、次いで、ステップ１７６へ移行して画像処理装置１０として異常停止処理を実行し、このルーチンは終了する。
【０１０５】
前記ステップ１６８での軽度のメッセージ表示（段階１）後のステップ１７０では、予め定めた時間が経過したか否かが判断され、否定判定されると、ステップ１７２へ移行して、給紙トレイ３６が開けられたか否かを判断する。すなわち、ステップ１７０、１７２では、段階１のメッセージに基づく、ユーザーによる給紙トレイ３６内の確認動作の猶予期間を設定している。
【０１０６】
従って、ステップ１７０、１７２の繰り返しで。ステップ１７０で肯定判定されると、ユーザーは給紙トレイ３６を開けて、内部を確認する意志がないと判断し、ステップ１５２へ戻り、上記肯定を繰り返す。
【０１０７】
一方、ステップ１７２で肯定判定された場合は、ユーザーが給紙トレイ３６内を確認する意志があると判断し、ステップ１５０へ戻り、上記肯定を繰り返す。
【０１０８】
なお、メッセージの段階は２段階（段階１、段階２）に限定されず、３段階以上設定してもよい。また、絵画像においても、障害物８６を取り除くコマ送り画像を設定してもよい。
【符号の説明】
【０１０９】
１０    画像処理装置
１２    画像形成部
１０Ａ    筐体
１０Ｔ    排出トレイ
１０Ｂ    筐体
１４    ＵＩ
１８    メインコントローラ
２０    ＣＰＵ
２２    ＲＡＭ２
２４    ＲＯＭ
２６    Ｉ／Ｏ
２８    バス
２９    Ｉ／Ｆ
３０    画像形成制御部
３２    出力系デバイス
３４    入力系デバイス
３６    給紙トレイ
３８    記録用紙
４０    筐体カバー
４２    把持部
４４    ボトムプレー
４６    縦壁部
４４Ａ    アーム部
４８    ねじりコイルばね
５０    送出部
５２    送り出しローラ
５４    案内軸
５６    ブラケット部
５８    モータ駆動部
６０    ガイド板
６２    用紙有無センサ
６４    サイズ判別センサ
６６    ロック機構部
７０    給紙トレイ開放判別部
７２    情報取込部
７４    報知期間監視部
７６    判定部
７８    画像情報出力部
８０    注意喚起情報読出部
８２    画像情報メモリ
【図１】
2015166277.tif 000003
【図２】
2015166277.tif 000004
【図３】
2015166277.tif 000005
【図４】
2015166277.tif 000006
【図５】
2015166277.tif 000007
【図６】
2015166277.tif 000008
【図７】
2015166277.tif 000009
【図８】
2015166277.tif 000010